(57)【要約】【課題】  梱包箱製造・販売業者と、損害保険会社と、農産物出荷業者と、農産物生産者と、運送業者と、農産物販売業者と、が参画して構成される梱包箱使用による農産物の市場変動価格保証システムの提供を図る。【解決手段】梱包箱製造・販売業者と、損害保険会社と、農産物出荷業者と、農産物生産者と、運送業者と、農産物販売業者と、が参画して構成される梱包箱使用による農産物の市場変動価格保証システムであって、保険契約ステップＳ１と、保証契約ステップＳ２と、製造認識番号ラベル貼付ステップＳ３と、梱包箱納品ステップＳ４と、梱包箱販売ステップＳ５と、農産物納品ステップＳ６と、伝票発行ステップＳ７と、農産物出荷ステップＳ８と、農産物納品ステップＳ９と、代金請求/代金支払いステップＳ１０と、事故報告ステップＳ１１と、保証金請求ステップＳ１２と、事故調査・査定ステップＳ１３と、保証金支払いステップＳ１４と、で構成される梱包箱使用による農産物の市場変動価格保証システムである。【選択図】図２
2012003412.tif 000002
【特許請求の範囲】
【請求項１】
梱包箱製造・販売業者と、損害保険会社と、農産物出荷業者と、農産物生産者と、運送業者と、農産物販売業者と、が参画して構成される梱包箱使用による農産物の市場変動価格保証システムであって、
前記梱包箱製造・販売業者と前記損害保険会社との間で交わされる保険契約ステップＳ１と、
前記梱包箱製造・販売業者と前記農産物出荷業者あるいは農産物生産者との間で交わされる保証契約ステップＳ２と、
前記梱包箱製造・販売業者が製造認識番号ラベルを貼付する製造認識番号ラベル貼付ステップＳ３と、
前記梱包箱製造・販売業者が前記農産物出荷業者あるいは農産物生産者に梱包箱を納品する梱包箱納品ステップＳ４と、
前記農産物出荷業者が前記農産物生産者に梱包箱を販売する梱包箱販売ステップＳ５と、
前記農産物生産者が前記農産物出荷業者に農産物を納品する農産物納品ステップＳ６と、
前記農産物出荷業者が出荷伝票ならびに梱包箱納品伝票ならびに請求書伝票を発行する伝票発行ステップＳ７と、
前記農産物出荷業者が前期運送業者に農産物を出荷する農産物出荷ステップＳ８と、
前記運送業者が前記農産物販売業者に農産物を納品する農産物納品ステップＳ９と、
各業者が代金請求と代金支払い行なう代金請求/代金支払いステップＳ１０と、
前記運送業者が前記農産物出荷業者に事故報告する事故報告ステップＳ１１と、
前記農産物出荷業者あるいは農産物生産者が前記損害保険会社に保証金を請求する保証金請求ステップＳ１２と、
前記損害保険会社が事故報告による事故調査・査定を行う事故調査・査定ステップＳ１３と、
前記損害保険会社が前記農産物出荷業者あるいは農産物生産者に保証金を支払う保証金支払いステップＳ１４と、
で構成されることを特徴とする梱包箱使用による農産物の市場変動価格保証システム。
【請求項２】
前記保険契約ステップＳ１と、
前記保証契約ステップＳ２と、
前記伝票発行ステップＳ７と、
前記代金請求/代金支払いステップＳ１０と、
前記事故報告ステップＳ１１と、
前記保証金請求ステップＳ１２と、
前記保証金支払いステップＳ１４と、
をインターネット回線を利用してパソコンまたは携帯電話を介して実行することを特徴とする請求項1記載の梱包箱使用による農産物の市場変動価格保証システム。
【請求項３】
前記梱包箱が、ダンボール箱若しくは発泡スチロール箱であることを特徴とする請求項1または請求項２のいずれか記載の梱包箱使用による農産物の市場変動価格保証システム。
【発明の詳細な説明】
【技術分野】
【０００１】
本発明は、梱包箱製造・販売業者と、損害保険会社と、農産物出荷業者と、農産物生産者と、運送業者と、農産物販売業者と、が参画して構成される梱包箱使用による農産物の市場変動価格保証システムに関する。
【背景技術】
【０００２】
従来より、あらゆる動産に対して、免責規定に除外していない限り、流通段階の偶然な事故などによる損害を総合的に填補する動産総合保険が、流通業界に携わる運送会社において広く利用されている。
【０００３】
一方、電子取引における流通段階での商品の紛失や損傷などによる損害を補償する補償サービスがある。例えば、「オークションなどの電子取引における商品在庫、発送システム」（特許文献１参照）が公知になっている。
【０００４】
しかしながら、上記の損害を補償する補償サービスは、主に電子取引における工業製造品に限定されることが多く、農産物の出荷時ならびに流通段階における交通事故、渋滞、天災、天候不順、誤発送、市場価格暴落、品質不良、売れ残り、返品などの幅広い免責事項による市場価格の変動による補償は対象外であった。
【０００５】
本出願人は、上記の市場変動価格の補償を梱包箱を介して動産総合保険に加入することで、農産物の出荷時ならびに流通段階における交通事故、渋滞、天災、天候不順、誤発送、市場価格暴落、品質不良、売れ残り、返品などの免責事項による市場価格の変動に対して補償を行なうことにより、農産物出荷業者や農産物生産者の価格補償を行なうと共に、梱包箱製造・販売業者に対し安定した取引関係を維持することができる流通システムを提案するものである。
【０００６】
【特許文献１】特開２００７−３２３６１９号公報
【発明の概要】
【発明が解決しようとする課題】
【０００７】
本発明は、上記問題点に鑑みてなされたものであって、梱包箱製造・販売業者と、損害保険会社と、農産物出荷業者と、農産物生産者と、運送業者と、農産物販売業者と、が参画して構成される梱包箱使用による農産物の市場変動価格保証システムを提供することを課題とするものである。
【課題を解決するための手段】
【０００８】
上記課題を達成するため、本発明は、梱包箱製造・販売業者と、損害保険会社と、農産物出荷業者と、農産物生産者と、運送業者と、農産物販売業者と、が参画して構成される梱包箱使用による農産物の市場変動価格保証システムであって、保険契約ステップＳ１と、保証契約ステップＳ２と、製造認識番号ラベル貼付ステップＳ３と、梱包箱納品ステップＳ４と、梱包箱販売ステップＳ５と、農産物納品ステップＳ６と、伝票発行ステップＳ７と、農産物出荷ステップＳ８と、農産物納品ステップＳ９と、代金請求/代金支払いステップＳ１０と、事故報告ステップＳ１１と、保証金請求ステップＳ１２と、事故調査・査定ステップＳ１３と、保証金支払いステップＳ１４と、で構成される梱包箱使用による農産物の市場変動価格保証システムである。
【０００９】
また、本発明は、本梱包箱使用による農産物の市場変動価格保証システムにおける保険契約ステップＳ１と、保証契約ステップＳ２と、伝票発行ステップＳ７と、代金請求/代金支払いステップＳ１０と、事故報告ステップＳ１１と、保証金請求ステップＳ１２と、保証金支払いステップＳ１４と、をインターネット回線を利用してパソコンまたは携帯電話を介して実行する手段を作用し得る。
【００１０】
さらに、本発明は、本梱包箱使用による農産物の市場変動価格保証システムに使われる梱包箱として、ダンボール箱若しくは発泡スチロール箱を使用する手段を採用することもできる。
【発明の効果】
【００１１】
本発明にかかる梱包箱使用による農産物の市場変動価格保証システムによれば、流通段階における変動価格補償を行なうことにより農産物出荷業者や農産物生産者は、市場の急激な価格変動に影響しない安定した収入が得られる優れた効果を奏する。
【００１２】
また、本発明にかかる梱包箱使用による農産物の市場変動価格保証システムによれば、梱包箱製造・販売業者が農産物流通過程に参画することで安定した取引関係を維持することができる優れた効果を奏する。
【００１３】
さらに、本発明にかかる梱包箱使用による農産物の市場変動価格保証システムによれば、インターネット回線を利用した管理システムを使用することにより、農産物出荷業者のホストコンピュータがシステム上の全ての事務処理を代行することができるため、事務処理コストの低減と集約ができる優れた効果を奏する。
【００１４】
そしてまた、本発明にかかる梱包箱使用による農産物の市場変動価格保証システムによれば、インターネット回線を利用した管理システムを採用することにより、従来運送業者が任意で加入していた損害保険を保険項目を拡大した本システムで行なうことにより、新たに発生する保険料の一部に充填することができる優れた効果を奏する。
【図面の簡単な説明】
【００１５】
【図１】本発明にかかる梱包箱使用による農産物の市場変動価格保証システムの請求項１記載の全体概要を示す説明図である。（実施例１）
【図２】本発明にかかる梱包箱使用による農産物の市場変動価格保証システムの請求項１記載の詳細を示すチャート図である。（実施例２）
【図３】本発明にかかる梱包箱使用による農産物の市場変動価格保証システムの請求項２記載の全体概要を示す説明図である。（実施例３）
【図４】本発明にかかる梱包箱使用による農産物の市場変動価格保証システムの請求項２記載の詳細を示すチャート図である。（実施例４）
【図５】本発明にかかる梱包箱使用による農産物の市場変動価格保証システムの請求項３記載の全体説明図である。（実施例５）
【発明を実施するための形態】
【００１６】
以下、本発明にかかる梱包箱使用による農産物の市場変動価格保証システムの実施形態を、図面に基づき詳細に説明する。
【００１７】
なお、本発明にかかる梱包箱使用による農産物の市場変動価格保証システムに関する伝票表記や通信手段並びに装置や機材、梱包箱については、以下に述べる実施例に特に限定されるものでなく、本発明の主旨に逸脱しない範囲で任意に変更することができる。
【実施例１】
【００１８】
図１は、本発明の梱包箱使用による農産物の市場変動価格保証システムの請求項１記載の全体概要を示す説明図である。
本発明の梱包箱使用による農産物の市場変動価格保証システム１０は、梱包箱製造・販売業者２０と、損害保険会社３０と、農産物出荷業者４０と、農産物生産者５０と、運送業者６０と、農産物販売業者７０と、が参画して構成される梱包箱使用による農産物の市場変動価格保証システムである。
【００１９】
梱包箱製造・販売業者２０は、本出願の実施例においてはダンボール箱の製造・販売業者を指し、農作物の流通過程に梱包箱製造・販売業者２０が参画することによって、農産物出荷業者４０ならびに農産物生産者５０のリスクの分担、事務処理経費削減、取引関係の強化ならびに永続化が図られる。
【００２０】
損害保険会社３０は、あらゆる動産に対して免責規定に除外していない限り流通段階の偶然な事故などによる損害を総合的に填補する動産総合保険や、コンピュータ総合保険などの、いわゆる損害保険の新種保険を取り扱う損害保険会社を指す。
【００２１】
農産物出荷業者４０は、いわゆる農業協同組合や個人・団体の出荷共同体、市場（生産地）を指すものであり、本願システムの流通ならびに運営において中核を成すものであって、ダンボール箱１２の管理、各種伝票発行や処理、各事業者との連絡網の中心となる事業体である。
【００２２】
農産物生産者５０は、一般の生産農家を指すもので、市場価格保証付のダンボール箱１２を購入することによって、交通事故、渋滞、天災、天候不順、誤発送、市場価格暴落、品質不良、売れ残り、返品等などの市場変動価格による価格損失補償が受けられるものである。
【００２３】
運送業者６０は、トラック業界、船舶業界、航空業界、鉄道業界を指し、従来運送業者が任意で加入していた損害補償保険は、本出願による梱包箱使用による農産物の市場変動価格保証システム１０によって保証されるものとなる。
【００２４】
農産物販売業者７０は、市場（消費地）、スーパー、直取引業者を指し、流通段階での何らかの不慮の事故や遅延による損害補償が受けられるものである。
【００２５】
発行伝票１６は、農産物販売業者７０以外の取引きに関して、農産物出荷業者４０によって一元管理されて発行されることによって本システムが運用されるものである。
【実施例２】
【００２６】
図２は、本発明の梱包箱使用による農産物の市場変動価格保証システムの請求項１記載の詳細を示すチャート図である。
以下、図１の梱包箱使用による農産物の市場変動価格保証システムで運用される処理ステップを順を追って説明する。
【００２７】
《ステップ１》
保険契約ステップＳ１は、損害保険会社３０と梱包箱製造・販売業者２０（農産物出荷業者４０・農産物生産者５０を含む）との間で締結されるもので、締結する保険の種類としては、例えばあらゆる動産に対して流通段階の偶然な事故などによる損害を総合的に填補する動産総合保険を利用する。
【００２８】
《ステップ２》
保証契約ステップＳ２は、梱包箱製造・販売業者２０（損害保険会社３０を含む）と農産物出荷業者４０あるいは農産物生産者５０の間で締結されるもので、農産物Ｎの出荷時ならびに流通段階における交通事故、渋滞、天災、  天候不順、誤発送、市場価格暴落、品質不良、売れ残り、返品等などによる農産物出荷業者４０に対する市場変動価格の保証項目に対して保険率を決定し、梱包箱１１の納品数に対して出荷価格が全額あるいは一部保証されるものである。
【００２９】
《ステップ３》
製造認識番号ラベル貼付作業ステップＳ３は、梱包箱製造・販売業者２０によって認識番号ならびに連続製造番号でラベル１５貼付または直接梱包箱１１に印字されるもので、その他バーコードや２次元コードラベル、三次元コード（ＱＲコード）ラベル等を貼付することによって農産物Ｎの商品情報を提供することもできる。
【００３０】
《ステップ４》
梱包箱納品ステップＳ４は、梱包箱製造・販売業者２０が農産物出荷業者４０に一括納品するもので、農産物出荷業者４０の倉庫に一時期的に保管され、一ヶ月単位で使用された梱包箱１１の数量に合わせて農産物出荷業者４０から梱包箱製造・販売業者２０に梱包箱１１の代金請求が発生するいわゆる「カンバン方式」が採られる。後に農産物出荷業者４０が代行して発行する請求書伝票１６と農産物出荷業者４０の倉庫内における梱包箱１１の在庫数と照合することで梱包箱１１の納品数が確認される。
なお、本ステップにおいて、下記ステップ５を中間省略して、梱包箱製造・販売業者２０から農産物生産者５０に直接納品する態様も考え得る。
【００３１】
《ステップ５》
梱包箱販売ステップＳ５は、農産物出荷業者４０が農産物生産者５０にダンボール箱１２の代金に保険料を上乗せして販売するものである。
なお、上記した梱包箱製造・販売業者２０から農産物生産者５０に直接納品する態様を採用した場合には、本ステップは省略されることとなる。
【００３２】
《ステップ６》
農産物納品ステップＳ６は、農産物生産者５０が農産物出荷業者４０に農産物Ｎが箱詰めされたダンボール箱１２を納品するもので、農産物出荷業者４０は日付とダンボール箱１２の数量と製造認識番号ラベル１５の枚数と農産物生産者名を記載した受領書伝票１６が発行され、後に農産物出荷業者４０が代行して発行する請求書伝票１６と照合して清算される。
【００３３】
《ステップ７》
伝票発行ステップＳ７は、農産物出荷業者４０によって農産物生産者５０から納品された製造認識番号ラベル１５が貼付されたダンボール箱１２入りの農産物Ｎと受領書伝票１６を照合し、梱包箱製造・販売業者２０が発行する梱包箱納品伝票・請求書伝票１６と運送業者６０に発行する出荷伝票１６を同時発行する。
【００３４】
《ステップ８》
農産物出荷ステップＳ８は、農産物出荷業者４０の倉庫から運送業者６０に農産物Ｎが出荷されるものである。
【００３５】
《ステップ９》
農産物納品ステップＳ９は、運送業者６０が農産物販売業者７０に納品するもので、本システムの保険適用範囲は、運送業者６０から農産物販売業者７０に納品された時点で完了する。
【００３６】
《ステップ１０》
代金請求・代金支払いステップＳ１０は、梱包箱製造・販売業者２０と損害保険会社３０と農産物出荷業者４０と農産物生産者５０と運送業者６０と農産物販売業者７０の間で締結された販売契約書に準じて実行される。
【００３７】
《ステップ１１》
事故報告ステップＳ１１は、運送業者６０が運搬する流通過程で発生した交通事故、渋滞、天災、天候不順、誤発送、市場価格暴落、品質不良、売れ残り、返品などの加入保険保証項目に対して保証されるもので、運送業者６０あるいは農産物販売業者７０が農産物出荷業者４０に事故報告することで達成される。
【００３８】
《ステップ１２》
保証金請求ステップＳ１２において、保険手続きは基本的に梱包箱製造・販売業者２０から損害保険会社３０に対して行なわれるが、保証金請求に関しては事務手続きを簡素化するために農産物出荷業者４０あるいは農産物生産者５０から損害保険会社３０に対して請求される。
【００３９】
《ステップ１３》
事故調査・査定ステップＳ１３は、農産物出荷業者４０から事故報告を受けた損害保険会社３０は、事故報告に基づいた事故調査・査定作業を運送業者６０の立会いまたは実証写真やその他状況を立証する書類が添付されて行なわれる。
【００４０】
《ステップ１４》
保証金支払いステップＳ１４は、農産物出荷業者４０から事故報告と損害保険会社３０による事故調査・査定の確認作業が終了した時点で、当初のステップＳ１の損害保険契約内容に照らし合わせて、損害保険会社３０から農産物出荷業者４０あるいは農産物生産者５０に保証金が支払われる。
【００４１】
以上のステップによって梱包箱製造・販売業者２０と農産物生産者５０は、農産物出荷業者４０による伝票発行作業を利用することによって自らの伝票発行作業が省略・簡素化されると共に、農産物生産者５０と農産物出荷業者４０においては、農作物の市場変動価格の保証が受けられもので、また運送業者６０においては損害保険の加入を回避することができるもので、本梱包箱使用による農産物の市場変動価格保証システム１０を利用することによって参画する業者においては、安定した取引関係と農産物の価格変動保証が同時に受けられものである。
【実施例３】
【００４２】
図３は、本発明の梱包箱使用による農産物の市場変動価格保証システムの請求項２記載の全体概要を示す説明図である。
本発明の梱包箱使用による農産物の市場変動価格保証システム１０は、梱包箱製造・販売業者２０と、損害保険会社３０と、農産物出荷業者４０と、農産物生産者５０と、運送業者６０と、農産物販売業者７０と、が参画して構成される梱包箱使用による農産物の市場価格保証システム１０であって、本システムにおける保険契約ステップＳ１と、保証契約ステップＳ２、伝票発行ステップＳ７と、代金請求/代金支払いステップＳ１０と、事故報告ステップＳ１１と、保証金請求ステップＳ１２と、事故調査・査定ステップＳ１３と、保証金支払いステップＳ１４と、をインターネット回線１３を利用してパソコンまたは携帯電話を介して運用される。
【実施例４】
【００４３】
図４は、本発明の梱包箱使用による農産物の市場価格保証システムの請求項２記載の詳細を示すチャート図である。
【００４４】
《ステップ１》
保険契約ステップＳ１は、損害保険会社３０と梱包箱製造・販売業者２０（農産物出荷業者４０・農産物生産者５０を含む）との間で締結されるもので、締結する保険の種類としては、例えばあらゆる動産に対して流通段階の偶然な事故などによる損害を総合的に填補する動産総合保険をインターネット回線１３を利用して締結される。
【００４５】
《ステップ２》
保証契約ステップＳ２は、梱包箱製造・販売業者２０（損害保険会社３０を含む）と農産物出荷業者４０あるいは農産物生産者５０の間で締結されるもので、農産物Ｎの出荷時ならびに流通段階における交通事故、渋滞、天災、天候不順、誤発送、市場価格暴落、品質不良、売れ残り、返品等などによる農産物出荷業者４０に対する市場変動価格の保証項目に対して保険率を決定し、梱包箱１１の納品数に対して出荷価格をインターネット回線１３を利用して締結される。
【００４６】
《ステップ７》
伝票発行ステップＳ７は、農産物出荷業者４０によって農産物生産者５０から納品された製造認識番号ラベル１５が貼付されたダンボール箱１２入りの農産物Ｎと受領書伝票１６を照合し、梱包箱製造・販売業者４０が発行する梱包箱納品伝票・請求書伝票１６と、運送業者６０に発行する出荷伝票１６をインターネット回線１３を利用して同時発行する。
【００４７】
《ステップ１０》
代金請求/代金支払いステップＳ１０は、梱包箱製造・販売業者２０と損害保険会社３０と農産物出荷業者４０と農産物生産者５０と運送業者６０と農産物販売業者７０の間で締結された販売契約書に準じてインターネット回線１３を利用して実行される。
【００４８】
《ステップ１１》
事故報告ステップＳ１１は、運送業者５０が運搬する流通過程で発生した交通事故、渋滞、天災、天候不順、誤発送、市場価格暴落、品質不良、売れ残り、返品などの保険保証項目に対して保証されるもので、運送業者６０あるいは農産物販売業者７０が農産物販売業者７０にインターネット回線１３を利用して事故報告することで達成される。
【００４９】
《ステップ１２》
保証金請求ステップＳ１２において、当初の保険手続きは基本的に梱包箱製造・販売業者２０から損害保険会社３０に対して行なわれるが、保証金請求に関しては事務手続きを簡素化するために農産物出荷業者４０あるいは農産物生産者５０から損害保険会社３０に対してインターネット回線１３を利用して実行される。
【００５０】
《ステップ１３》
事故調査・査定ステップＳ１３は、農産物出荷業者４０から事故報告を受けた損害保険会社３０は、事故報告に基づいた事故調査・査定作業を運送業者６０の立会いまたは破損物写真その他状況を立証する書類をインターネット回線１３を利用して実行される。
【００５１】
《ステップ１４》
保証金支払いステップＳ１４は、農産物出荷業者４０から事故報告と損害保険会社３０による事故調査・査定の確認作業が終了した時点で当初のステップＳ１の損害保険契約内容に照らし合わせて損害保険会社３０から農産物出荷業者４０あるいは農産物生産者５０に保証金がインターネット回線１３を利用して支払われる。
【００５２】
以上のステップをインターネット回線１３を利用することで保険の手続きや運営を農産物出荷業者４０のホストコンピュータで一括操作管理することにより、事務処理作業が大幅に省略・簡素化されると同時に、農産物生産者５０と農産物出荷業者４０においては農作物の市場変動価格の保証が自動的に受けられものある。
【実施例５】
【００５３】
図５は、本発明の梱包箱使用による農産物の市場価格保証システムの請求項３記載の全体説明図である。
本発明の梱包箱使用による農産物の市場価格保証システム１０の梱包箱１１については、図示されたようなダンボール箱１２若しくは発泡スチロール箱が採用される構成となっている。
【００５４】
梱包箱１１は、農産物Ｎの流通過程に使用される場合はダンボール箱１２が最適であり、水産物の流通過程に使用される場合は発泡スチロール箱が最適である。
【００５５】
製造認識番号ラベル１５は、印刷される印刷ラベル、インクによるスタンプ印字などが使用され、バーコードラベルや２次元コードラベル、三次元コード（ＱＲコード）ラベル等からなり、梱包箱へ貼付または直接印字される。
【００５６】
なお、本実施例で示す印刷伝票１６の記載内容は、本システムに関連する項目に関して一例的に表示しているもので、実際の取引上の印刷内容と異なるものである。
【産業上の利用可能性】
【００５７】
本発明における梱包箱使用における農産物の市場変動価格保証システムは、農産物の市場変動価格保証システムとして利用できることはいうまでもなく、水産物における発泡スチロール箱を利用した市場変動価格保証システムとしても利用できるもので、本発明による梱包箱使用における農産物の市場価格保証システムの産業上の利用可能性は極めて高いものと解する。
【符号の説明】
【００５８】
１０      農産物の市場変動価格保証システム
１１      梱包箱
１２      ダンボール箱
１３      インターネット回線
１４      管理サーバ
１５      製造認識番号ラベル
１６      伝票（納品・出荷・受領書・請求書）
２０      梱包箱製造・販売業者
３０      損害保険会社
４０      農産物出荷業者
５０      農産物生産者
６０      運送業者
７０      農産物販売業者
Ｓ１    保険契約ステップ
Ｓ２    保証契約ステップ
Ｓ３    製造認識番号ラベル貼付ステップ
Ｓ４    梱包箱納品ステップ
Ｓ５    梱包箱販売ステップ
Ｓ６    農産物納品ステップ
Ｓ７    伝票発行ステップ
Ｓ８    農産物出荷ステップ
Ｓ９    農産物納品ステップ
Ｓ１０  事故報告ステップ
Ｓ１１  梱包箱代金支払いステップ
Ｓ１２  保証金請求ステップ
Ｓ１３  事故調査・査定ステップ
Ｓ１４  保証金支払いステップ
Ｎ      農産物
【図１】
2012003412.tif 000003
【図２】
2012003412.tif 000004
【図３】
2012003412.tif 000005
【図４】
2012003412.tif 000006
【図５】
2012003412.tif 000007